(57)【要約】【課題】ビスを使用すること無くフロントキャビネットにパネルモジュールを固定することができ、しかもメンテナンスを行う際は、フロントキャビネットからパネルモジュールを容易に取り外すことができる表示装置を提供する。【解決手段】前側に表示面１１ａを有するパネルモジュール１と、パネルモジュール１の周縁部を取り囲むフロントキャビネット２と、パネルモジュール１の後側を覆うバックキャビネット３とを備えた表示装置において、フロントキャビネット２の内面からバックキャビネット３側へ突出した可撓性爪部２３ｃと、Ｌ字状をなし、可撓性爪部２３ｃが掛止する孔部４１ｃを有する掛止板４１、及びパネルモジュール１の後面に当接する当接板４２を含み、フロントキャビネット２をパネルモジュール１に固定するＬ字固定部材４とを備える。【選択図】図２
2013033190.tif 000002
【特許請求の範囲】
【請求項１】
前側に表示面を有するパネルモジュールと、該パネルモジュールの周縁部を取り囲むフロントキャビネットと、前記パネルモジュールの後側を覆うバックキャビネットとを備えた表示装置において、
前記フロントキャビネットの内面から前記バックキャビネット側へ突出した可撓性爪部と、
Ｌ字状をなし、該可撓性爪部が掛止する孔部を有する掛止板、及び前記パネルモジュールの後面に当接する当接板を含み、前記フロントキャビネットを前記パネルモジュールに固定するＬ字固定部材と
を備えることを特徴とする表示装置。
【請求項２】
前記可撓性爪部が前記掛止板の孔部から外れる方向へ撓むことを規制する規制部を、前記バックキャビネットに備える
ことを特徴とする請求項１に記載の表示装置。
【請求項３】
前記可撓性爪部が掛止した前記Ｌ字固定部材を支持する支持部材を前記フロントキャビネットに備える
ことを特徴とする請求項１又は請求項２に記載の表示装置。
【請求項４】
前記支持部材は、
前記可撓性爪部が対向している前記パネルモジュールに沿って前記可撓性爪部の両側に２つ設けられ、前記可撓性爪部に掛止した前記掛止板を該可撓性爪部と共に挟み込むよう構成されており、
前記掛止板から該掛止板が対向している前記パネルモジュールに沿って突出した突出片と、
前記フロントキャビネットの内面から前記バックキャビネット側へ突出しており、前記突出片に当接して前記Ｌ字固定部材の取り付け位置を位置決めするための位置決め突起と
を備えることを特徴とする請求項３に記載の表示装置。
【請求項５】
前記位置決め突起は、
前記Ｌ字固定部材を前記可撓性爪部に掛止させる場合に該Ｌ字固定部材が前記パネルモジュールの周縁部に沿った方向へ移動することを規制する第１条体と、
前記Ｌ字固定部材を前記可撓性爪部に掛止させる場合に該Ｌ字固定部材が前記バックキャビネット側へ移動することを規制する第２条体と
を備えることを特徴とする請求項４に記載の表示装置。
【請求項６】
前記当接板は、
前記パネルモジュールの後面に当接する当接凸部を備え、
該当接凸部と、前記可撓性爪部が掛止する部分とは、前記パネルモジュールの周縁部に沿った方向に離隔している
ことを特徴とする請求項４又は請求項５に記載の表示装置。
【請求項７】
前記フロントキャビネットの前記可撓性爪部よりも横方向及び上下方向内側に設けられており、前記パネルモジュールの外周面に当接する当接部材を備える
ことを特徴とする請求項１から請求項６までのいずれか一つに記載の表示装置。
【請求項８】
前記可撓性爪部は、
前記フロントキャビネットの両側部及び上部の内面に設けられている
ことを特徴とする請求項１から請求項７までのいずれか一つに記載の表示装置。
【請求項９】
前記フロントキャビネットは、
パネルモジュールの表示面側の周縁を覆う枠板部と、
該枠板部の外周縁から後方へ連なり、パネルモジュールの外周を覆う前筒部と
を有し、
前記可撓性爪部は、
前記前筒部の内面から突出しており、パネルモジュールに対して接離する方向へ撓むように構成してある
ことを特徴とする請求項１から請求項８までのいずれか一つに記載の表示装置。
【請求項１０】
前記当接板は、パネルモジュール側が凸になるように湾曲している
ことを特徴とする請求項１から請求項９までのいずれか一つに記載の表示装置。
【請求項１１】
前記可撓性爪部は、
先端が前記パネルモジュールよりも後側に位置している
ことを特徴とする請求項１から請求項１０までのいずれか一つに記載の表示装置。
【請求項１２】
前記パネルモジュールは、
液晶パネルと、
該液晶パネルの後面側に配されたバックライト装置と、
前記液晶パネル及び前記バックライト装置を一体的に保持する保持枠体と
を備えることを特徴とする請求項１から請求項１１までのいずれか一つに記載の表示装置。
【請求項１３】
請求項１から請求項１２までのいずれか一つに記載の表示装置と、
映像信号を受信する受信部と
を備え、
前記表示装置は、
前記受信部が受信した映像信号にて映像を表示するようにしてある
ことを特徴とするテレビ受像機。
【発明の詳細な説明】
【技術分野】
【０００１】
本発明は、前側に表示面を有するパネルモジュールと、該パネルモジュールの周縁部を取り囲むフロントキャビネットと、前記パネルモジュールの後側を覆うバックキャビネットとを備えた表示装置及びテレビ受像機に関する。
【背景技術】
【０００２】
テレビ受像機等の表示装置は、映像を表示する表示面を前側に有するパネルモジュールと、該パネルモジュールの周縁部を取り囲むフロントキャビネットと、前記パネルモジュールの後側を覆うバックキャビネットとを備えている。従来の表示装置においては、パネルモジュールと、フロントキャビネットとをビスを用いて固定しており、組立作業工数の増大が問題となっていた。
【０００３】
特許文献１には、上述の問題を解決する表示装置が開示されている。特許文献１に係る表示装置は、フロントキャビネットの外周部から後側へ突出した複数の可撓性の爪フックを備え、該爪フックによってフロントキャビネットをパネルモジュールに固定している。
【先行技術文献】
【特許文献】
【０００４】
【特許文献１】特開２００９−４２５３７号公報
【発明の概要】
【発明が解決しようとする課題】
【０００５】
しかしながら、特許文献１に係る表示装置においては、メンテナンス時にパネルモジュールからフロントキャビネットを取り外し難いという問題があった。具体的には、フロントキャビネットからパネルモジュールを取り外す場合、パネルモジュールの周囲に引っ掛かっている複数の爪フックを順番に外していく必要があるが、作業途中で、取り外したフック爪が再びパネルモジュールに引っ掛かってしまうことが多々あった。このため、複数の作業者でパネルモジュールの取り外しを行ったり、一旦取り外したフック爪が再びパネルモジュールに引っ掛からないように、楔のような部材をフック爪と、パネルモジュールとの間に挟み込んだりする必要があった。この問題は、表示装置が大型化した場合、特に顕著であり、メンテナンス性が悪化する。
【０００６】
本発明は斯かる事情に鑑みてなされたものであり、その目的は、ビスを使用すること無くフロントキャビネットにパネルモジュールを固定することができ、しかもメンテナンスを行う際は、フロントキャビネットからパネルモジュールを容易に取り外すことができる表示装置及びテレビ受像機を提供することにある。
【課題を解決するための手段】
【０００７】
本発明に係る表示装置は、前側に表示面を有するパネルモジュールと、該パネルモジュールの周縁部を取り囲むフロントキャビネットと、前記パネルモジュールの後側を覆うバックキャビネットとを備えた表示装置において、前記フロントキャビネットの内面から前記バックキャビネット側へ突出した可撓性爪部と、Ｌ字状をなし、該可撓性爪部が掛止する孔部を有する掛止板、及び前記パネルモジュールの後面に当接する当接板を含み、前記フロントキャビネットを前記パネルモジュールに固定するＬ字固定部材とを備えることを特徴とする。
【０００８】
本発明にあっては、パネルモジュールの後面にＬ字固定部材の当接板を当接させ、フロントキャビネットの可撓性爪部にＬ字固定部材の掛止板を引っ掛けることによって、パネルモジュールにフロントキャビネットを固定することが可能である。
また、メンテナンスを行う際、可撓性爪部に引っ掛かっているＬ字固定部材を取り外すことによって、フロントキャビネットからパネルモジュールを容易に取り外すことができる。つまり、Ｌ字固定部材が取り外された可撓性爪部がパネルモジュールに引っ掛かることは無く、パネルモジュールを容易に取り外すことができる。
【０００９】
本発明に係る表示装置は、前記可撓性爪部が前記掛止板の孔部から外れる方向へ撓むことを規制する規制部を、前記バックキャビネットに備えることを特徴とする。
【００１０】
本発明にあっては、可撓性爪部がＬ字固定部材から外れる方向へ撓むことを、バックキャビネットに設けられた規制部によって、規制することが可能である。従って、表示装置の使用時においては、衝撃によって、可撓性爪部がＬ字固定部材から外れ、パネルモジュールからフロントキャビネットが脱落することは無い。
【００１１】
本発明に係る表示装置は、前記可撓性爪部が掛止した前記Ｌ字固定部材を支持する支持部材を前記フロントキャビネットに備えることを特徴とする。
【００１２】
本発明にあっては、Ｌ字固定部材を、可撓性爪部が引っ掛かる箇所へ案内し、フロントキャビネットに支持することが可能である。
【００１３】
本発明に係る表示装置は、前記支持部材は、前記可撓性爪部が対向している前記パネルモジュールに沿って前記可撓性爪部の両側に２つ設けられ、前記可撓性爪部に掛止した前記掛止板を該可撓性爪部と共に挟み込むよう構成されており、前記掛止板から該掛止板が対向している前記パネルモジュールに沿って突出した突出片と、前記フロントキャビネットの内面から前記バックキャビネット側へ突出しており、前記突出片に当接して前記Ｌ字固定部材の取り付け位置を位置決めするための位置決め突起とを備えることを特徴とする。
【００１４】
本発明にあっては、可撓性爪部に対するＬ字固定部材の位置決め作業と、可撓性爪部をＬ字固定部材の孔部に掛止させる作業とを段階的に行うことが可能になる。従って、Ｌ字固定部材の取り付け作業性が向上する。
【００１５】
本発明に係る表示装置は、前記位置決め突起は、前記Ｌ字固定部材を前記可撓性爪部に掛止させる場合に該Ｌ字固定部材が前記パネルモジュールの周縁部に沿った方向へ移動することを規制する第１条体と、前記Ｌ字固定部材を前記可撓性爪部に掛止させる場合に該Ｌ字固定部材が前記バックキャビネット側へ移動することを規制する第２条体とを備えることを特徴とする。
【００１６】
本発明にあっては、Ｌ字固定部材の突出片を位置決め突起に当接させた状態で、Ｌ字固定部材を回転させ、Ｌ可撓性爪部をＬ字固定部材の孔部に掛止させることが可能である。
【００１７】
本発明に係る表示装置は、前記当接板は、前記パネルモジュールの後面に当接する当接凸部を備え、該当接凸部と、前記可撓性爪部が掛止する部分とは、前記パネルモジュールの周縁部に沿った方向に離隔していることを特徴とする。
【００１８】
本発明にあっては、当接凸部と、可撓性爪部が掛止する部分とは、パネルモジュールの周縁部に沿った方向に離隔しているため、可撓性爪部の掛かり量が変動しても、可撓性爪部に大きな力が加わることが無い。従って、Ｌ字固定部材の取り付け作業性が悪化することは無い。また、フロントキャビネットが変形することも無く、美観が損なわれるおそれも無い。
【００１９】
本発明に係る表示装置は、前記フロントキャビネットの前記可撓性爪部よりも横方向及び上下方向内側に設けられており、前記パネルモジュールの外周面に当接する当接部材を備えることを特徴とする。
【００２０】
本発明にあっては、フロントキャビネットの可撓性爪部よりも横方向及び上下方向内側に設けられた当接部材がパネルモジュールの外周面に当接する。従って、フロントキャビネットに対してパネルモジュールが移動した際、パネルモジュールが可撓性爪部に直接的に当接して不測の応力が働くことを防止する。よって、可撓性爪部が折れることを防止することが可能である。
【００２１】
本発明に係る表示装置は、前記可撓性爪部は、前記フロントキャビネットの両側部及び上部の内面に設けられていることを特徴とする。
【００２２】
本発明にあっては、フロントキャビネットの両側部及び上部に可撓性爪部が設けられている。つまり、フロントキャビネットの下部には可撓性爪部が設けられていない。従って、最小限の可撓性爪部によってフロントキャビネットをパネルモジュールに取り付けることができ、低コストで表示装置を構成することが可能である。
【００２３】
本発明に係る表示装置は、前記フロントキャビネットは、パネルモジュールの表示面側の周縁を覆う枠板部と、該枠板部の外周縁から後方へ連なり、パネルモジュールの外周を覆う前筒部とを有し、前記可撓性爪部は、前記前筒部の内面から突出しており、パネルモジュールに対して接離する方向へ撓むように構成してあることを特徴とする。
【００２４】
本発明にあっては、可撓性爪部はパネルモジュールに対して接離する方向へ撓むため、パネルモジュールに製造誤差があっても、Ｌ字固定部材に対する可撓性爪部の掛止位置が変化して、可撓性爪部はＬ字固定部材に掛止する。このため、パネルモジュールの製造誤差に拘わらず、パネルモジュールにＬ字固定部材を常に当接させることができ、音声によるビビリの発生を抑えることが可能になる。
また、可撓性爪部の掛止位置は変化するため、パネルモジュールに製造誤差があっても、可撓性爪部を掛止させるためにＬ字固定部材を強く押し込むなどの必要は無くなる。
【００２５】
本発明に係る表示装置は、前記当接板は、パネルモジュール側が凸になるように湾曲していることを特徴とする。
【００２６】
本発明にあっては、Ｌ字固定部材の当接板は、パネルモジュール側が凸であるため、パネルモジュールに対して当接板は線接触する。またパネルモジュールに製造誤差があり、パネルモジュールに対するＬ字固定部材の姿勢が変化したとしても、Ｌ字固定部材はパネルモジュールに線接触する。このため、パネルモジュールの製造誤差に拘わらず、パネルモジュールにＬ字固定部材を常に当接させることができ、音声によるビビリの発生を抑えることが可能になる。
【００２７】
本発明に係る表示装置は、前記可撓性爪部は、先端が前記パネルモジュールよりも後側に位置していることを特徴とする。
【００２８】
本発明にあっては、可撓性爪部の先端部がパネルモジュールより後側に突出しているため、メンテナンス時に、パネルモジュールからフロントキャビネットを取り外す際、可撓性爪部の位置を視認し易く、また、可撓性爪部の先端に指を掛けて、容易に取り外すことが可能になる。
【００２９】
本発明に係る表示装置は、前記パネルモジュールは、液晶パネルと、該液晶パネルの後面側に配されたバックライト装置と、前記液晶パネル及び前記バックライト装置を一体的に保持する保持枠体とを備えることを特徴とする。
【００３０】
本発明にあっては、液晶パネル及びバックライト装置を保持枠体で一体とすることによってパネルモジュールが構成される。
【００３１】
本発明に係るテレビ受像機は、上述のいずれか一つの表示装置と、映像信号を受信する受信部とを備え、前記表示装置は、前記受信部が受信した映像信号にて映像を表示するようにしてあることを特徴とする。
【００３２】
本発明にあっては、映像信号を受信し、表示装置に該映像信号に係る映像を表示することが可能である。
【発明の効果】
【００３３】
本発明によれば、ビスを使用すること無くフロントキャビネットにパネルモジュールを固定することができ、しかもメンテナンスを行う際は、フロントキャビネットからパネルモジュールを容易に取り外すことができる。
【図面の簡単な説明】
【００３４】
【図１】本発明の実施の形態に係る表示装置の一構成例を示す正面側の分解斜視図である。
【図２】表示装置の要部を示す拡大側断面図である。
【図３】フロントキャビネットから取り外されたＬ字固定部材を示す要部の分解斜視図である。
【図４】フロントキャビネットに取り付けられたＬ字固定部材を示す要部の分解斜視図である。
【図５】Ｌ字固定部材によってパネルモジュールにフロントキャビネットを取り付けた状態を示す背面側の要部の分解斜視図である。
【図６】フロントキャビネットの背面図である。
【図７】フロントキャビネットの要部を示す背面図及び側面図である。
【図８】Ｌ字固定部材の六面図である。
【図９】変形例１に係るＬ字固定部材によってパネルモジュールにフロントキャビネットを取り付けた状態を示す背面側の要部の分解斜視図である。
【図１０】変形例１に係るＬ字固定部材を可撓性爪部に掛止した状態を示す背面側の要部の分解斜視図である。
【図１１】変形例１に係るＬ字固定部材によってパネルモジュールにフロントキャビネットを取り付けた状態を示す背面側の要部の分解背面図である。
【図１２】フロントキャビネットの要部を示す斜視図である。
【図１３】フロントキャビネットの要部を示す背面図及び側面図である。
【図１４】Ｌ字固定部材の斜視図である。
【図１５】Ｌ字固定部材の六面図である。
【図１６】Ｌ字固定部材の取り付け方法を示す模式図である。
【図１７】変形例１に係るＬ字固定部材の作用を示す概念図である。
【図１８】変形例２に係る表示装置の要部を示す拡大側断面図である。
【図１９】変形例２に係る表示装置の作用を示す拡大側断面図である。
【図２０】変形例３に係る表示装置の要部を示す拡大側断面図である。
【図２１】変形例３に係る表示装置の作用を示す拡大側断面図である。
【図２２】変形例４に係る表示装置の要部を示す拡大側断面図である。
【発明を実施するための形態】
【００３５】
以下、本発明をその実施の形態を示す図面に基づいて詳述する。
図１は、本発明の実施の形態に係る表示装置の一構成例を示す正面側の分解斜視図である。本実施の形態に係る表示装置は、例えば、液晶テレビなどのテレビ受像機である。表示装置は、前側に表示面１１ａを有し、略直方体をなすパネルモジュール１と、パネルモジュール１の周縁部を取り囲むフロントキャビネット２と、パネルモジュール１の後側を覆うバックキャビネット３と、パネルモジュール１にフロントキャビネット２を固定するための金属製のＬ字固定部材４と、映像信号を受信するチューナ５（受信部）と、電気回路６と、パネルモジュール１を起立状態で支持するスタンド７とを備える。
【００３６】
図２は、表示装置の要部を示す拡大側断面図、図３は、フロントキャビネット２から取り外されたＬ字固定部材４を示す要部の分解斜視図、図４は、フロントキャビネット２に取り付けられたＬ字固定部材４を示す要部の分解斜視図、図５は、Ｌ字固定部材４によってパネルモジュール１にフロントキャビネット２を取り付けた状態を示す背面側の要部の分解斜視図、図６は、フロントキャビネット２の背面図、図７は、フロントキャビネット２の要部を示す背面図及び側面図、図８は、Ｌ字固定部材４の六面図である。
【００３７】
パネルモジュール１は、前側に表示面１１ａを有する横長略矩形状の液晶パネル１１と、液晶パネル１１の後面側に配置された図示しない光学シートと、該光学シートの後面側に配置されたバックライト装置１２と、液晶パネル１１及びバックライト装置１２を一体的に保持する保持枠体１３とを備える。バックライト装置１２は、平皿状のバックライトシャーシ、バックライトシャーシに配された反射シート及び複数の光源を有する。光源は、例えば、ＬＥＤ、冷陰極蛍光管である。また、パネルモジュール１は、パネルモジュール１と、バックキャビネット３とをネジ止めするためのネジ孔が後面側に形成されている。
【００３８】
チューナ５及び電気回路６は、バックライト装置１２を構成するバックライトシャーシの背面側に取り付けられている。
【００３９】
フロントキャビネット２は、パネルモジュール１の表示面１１ａ側の周縁を覆う枠板部２１と、該枠板部２１の外周縁から後方へ連なり、パネルモジュール１の外周を覆う前筒部２２とを有する。枠板部２１の後面には、Ｌ字固定部材４を掛止する掛止手段２３が設けられている。掛止手段２３は、図６に示すように、フロントキャビネット２の横方向両側部及び上部にそれぞれ複数設けられている。掛止手段２３の数は、表示装置の大きさによって適宜決定される。掛止手段２３は、図３に示すように、枠板部２１の後面からバックキャビネット３側へ突出した可撓性爪部２３ｃと、可撓性爪部２３ｃが掛止したＬ字固定部材４を支持する支持部材２３ａ、２３ｂとを有する。可撓性爪部２３ｃは、先端部に鉤状部分を有する板状をなし、図７Ａに示すように背面視で、枠板部２１の周縁に沿った線状をなす。鉤状部分は、表示面１１ａの面内方向内側に傾斜面を有し、鉤状部分の面内方向外側は平坦である。支持部材２３ａ、２３ｂは、背面視がＬ字固定部材４の後述する掛止板４１の両側部に倣ったＬ字状をなし、図３及び図４に示すように、Ｌ字固定部材４が後側から挿入され、Ｌ字固定部材４を可撓性爪部２３ｃに掛止させることが可能な箇所へ案内できるように形成されている。
なお、可撓性爪部２３ｃ及び支持部材２３ａ、２３ｂの高さ、即ち表示装置の前後方向寸法は、前筒部２２の前後方向寸法よりも短く構成すると良い。つまり、フロントキャビネット２を横方向から見た際、前筒部２２に可撓性爪部２３ｃ及び支持部材２３ａ、２３ｂが隠れるように構成すると良い。このように構成することによって、表示装置の組み立て工程において、フロントキャビネット２から後側へ飛び出した可撓性爪部２３ｃ及び支持部材２３ａ、２３ｂが破損することを防止することができる。
【００４０】
また、フロントキャビネット２は、可撓性爪部２３ｃよりも横方向及び上下方向内側に位置するように、枠板部２１の後側面からバックキャビネット３側へ突出しており、パネルモジュール１の外周面に当接する複数の当接片（当接部材）２４ａ，２４ｂを備える。当接片２４ａ，２４ｂを備えることによって、可撓性爪部２３ｃにパネルモジュール１が直接的に当接して不測の応力が働くことを防止し、可撓性爪部２３ｃの折れを防止することができる。また、当接片２４ａ，２４ｂによって、パネルモジュール１に対するフロントキャビネット２の位置を所定箇所に位置決めすることができる。
【００４１】
Ｌ字固定部材４は、図８に示すようにＬ字状をなし、可撓性爪部２３ｃが掛止する孔部４１ｃを有する掛止板４１、及び前記パネルモジュール１の後面に当接する当接板４２を有する。なお、図８は、表示装置の上部に設けられたＬ字固定部材４の六面図を、表示装置の上下左右方向を基準にして示したものである。図８Ａ〜Ｆは、それぞれＬ字固定部材４の平面図、正面図、左側面図、右側面図、背面図、底面図である。掛止板４１及び当接板４２は、それぞれ略矩形状であり、長辺同士が連なっている。孔部４１ｃは、掛止板４１の長手方向に沿って、掛止板４１の略中央部に設けられたスリット状である。掛止板４１は、長手方向両側の先端側部分に、支持部材２３ａ，２３ｂによって支持されるべき凹部４１ａ，４１ｂを有する。
【００４２】
なお、Ｌ字固定部材４の当接板４２は、平板状であるが、パネルモジュール１に形成されている凸部に嵌合する孔部又は凹部を設けても良い。このように構成することにより、Ｌ字固定部材４の当接板４２がパネルモジュール１に対して位置ずれすることを防止することができ、パネルモジュール１にフロントキャビネット２をより確実に固定することができる。
【００４３】
バックキャビネット３は、パネルモジュール１の背面側を覆う皿形覆部３１と、皿形覆部３１の周縁に連なる後筒部３２とを有する。後筒部３２は、可撓性爪部２３ｃに対応する複数の周方向位置に、可撓性爪部２３ｃが掛止板４１の孔部４１ｃから外れる方向へ撓むことを規制する規制爪部３２ａを有する。つまり、規制爪部３２ａは、フロントキャビネット２と、バックキャビネット３とが組み立てられた場合に、可撓性爪部２３ｃと、フロントキャビネット２の前筒部２２との間に挿入されるような箇所に形成されており、可撓性爪部２３ｃの外側の平坦面と、前筒部２２との間隙程度の厚みを有している。また、バックキャビネット３は、複数のネジ孔を有しており、該ネジ孔に挿入されたネジによって、パネルモジュール１にネジ止めされる。
【００４４】
このように構成された表示装置にあっては、パネルモジュール１の後面にＬ字固定部材４の当接板４２を当接させ、フロントキャビネット２の可撓性爪部２３ｃにＬ字固定部材の掛止板４１を引っ掛けることによって、パネルモジュール１にフロントキャビネット２を固定することができる。また、メンテナンスを行う際、可撓性爪部２３ｃに引っ掛かっているＬ字固定部材４を取り外すことによって、Ｌ字固定部材４が取り外された可撓性爪部２３ｃがパネルモジュール１に再度引っ掛かることは無く、フロントキャビネット２からパネルモジュール１を容易に取り外すことができる。
従って、ビスを使用すること無くフロントキャビネット２にパネルモジュール１を固定することができ、しかもメンテナンスを行う際は、フロントキャビネット２からパネルモジュール１を容易に取り外すことができる。
【００４５】
また、Ｌ字固定部材を介して、パネルモジュール１にフロントキャビネット２を固定する構成であるため、パネルモジュール１に特殊な構造を設けること無く、上述の効果を奏することができる。
【００４６】
更に、フロントキャビネット２と、バックキャビネット３とを組み立てた場合、規制爪部３２ａは、可撓性爪部２３ｃと、フロントキャビネット２との間に嵌り込むため、可撓性爪部２３ｃが外側へ撓むことを防止することができる。従って、使用時において、衝撃等によってフロントキャビネット２が脱落することを防止するこができる。
【００４７】
更にまた、パネルモジュール１と、フロントキャビネット２とをビスを使用すること無く固定する構成であるため、フロントキャビネット２の枠板部２１にネジ止め用のボスを設ける必要が無く、フロントキャビネット２を狭額縁化することができる。
【００４８】
更にまた、当接片２４ａ，２４ｂを備えることによって、可撓性爪部２３ｃにパネルモジュール１が直接的に当接して不測の応力が働くことを防止し、可撓性爪部２３ｃの折れを防止することができる。
【００４９】
更にまた、フロントキャビネット２の両側部及び上部に可撓性爪部２３ｃが設けられており、下部には可撓性爪部２３ｃは設けられていない。従って、最小限の可撓性爪部２３ｃによってフロントキャビネット２をパネルモジュール１に取り付けることができ、低コストで表示装置を構成することができる。
【００５０】
本実施の形態では、表示装置の一例として液晶テレビを説明したが、いうまでも無く、プラズマ表示装置、ＥＬディスプレイ等の表示装置に本発明を適用しても良い。また、チューナ５を備えていない表示装置、例えばパーソナルコンピュータ用のディスプレイに本発明を適用しても良い。
【００５１】
（変形例１）
図９は、変形例１に係るＬ字固定部材１０４によってパネルモジュール１にフロントキャビネット１０２を取り付けた状態を示す背面側の要部の分解斜視図、図１０は、変形例１に係るＬ字固定部材１０４を可撓性爪部１２３ｃに掛止した状態を示す背面側の要部の分解斜視図、図１１は、変形例１に係るＬ字固定部材１０４によってパネルモジュール１にフロントキャビネット１０２を取り付けた状態を示す背面側の要部の分解背面図である。図１２は、フロントキャビネット１０２の要部を示す斜視図、図１３は、フロントキャビネット１０２の要部を示す背面図及び側面図、図１４は、Ｌ字固定部材１０４の斜視図、図１５は、Ｌ字固定部材１０４の六面図である。
【００５２】
変形例１に係る掛止手段１２３は、実施の形態と同様、枠板部２１の後面であって、フロントキャビネット１０２の横方向両側部及び上部にそれぞれ複数設けられている。掛止手段１２３は、図１２〜図１３に示すように枠板部２１の後面からバックキャビネット３側へ突出した可撓性爪部１２３ｃと、可撓性爪部１２３ｃが掛止したＬ字固定部材１０４を支持する第１支持部材１２３ｂと、第２支持部材１２３ｄと、位置決め突起１２３ａとを有する。第１及び第２支持部材１２３ｂ、１２３ｄは、可撓性爪部１２３ｃが対向しているパネルモジュール１に沿って可撓性爪部１２３ｃの両側に設けられている。また、位置決め突起１２３ａは、該位置決め突起１２３ａ，第１支持部材１２３ｂ，可撓性爪部１２３ｃ，第２支持部材１２３ｄの順に、可撓性爪部１２３ｃが対向しているパネルモジュール１に沿って設けられている。
【００５３】
可撓性爪部１２３ｃは、先端部に鉤状部分を有する板状をなし、図１３Ａに示すように背面視で、枠板部２１の周縁に沿った線状をなす。鉤状部分は、表示面１１ａの面内方向内側に傾斜面を有し、鉤状部分の面内方向外側は平坦である。
【００５４】
第１支持部材１２３ｂは、先端部が湾曲した略長方形の板状をなし、図１３Ａに示すように背面視で、枠板部２１の周縁に沿った線状をなす。第１支持部材１２３ｂは、図９及び図１０に示すように可撓性爪部１２３ｃに掛止したＬ字固定部材１０４を、可撓性爪部１２３ｃと共に挟み込むように構成されている。より具体的には、第１支持部材１２３ｂは、可撓性爪部１２３ｃよりもパネルモジュール１側に位置しており、Ｌ字固定部材１０４が可撓性爪部１２３ｃからパネルモジュール１側へ移動して孔部１４１ｃから脱落することを規制している。
【００５５】
第２支持部材１２３ｄは、背面視が、掛止板１４１の側部に倣ったＬ字状をなし、対向するパネルモジュール１の面に略平行な第１の板片と、略垂直な第２の板片とで構成されている。第２支持部材１２３ｄは、図９及び図１０に示すように可撓性爪部１２３ｃに掛止したＬ字固定部材１０４を、可撓性爪部１２３ｃと共に挟み込むようにして掛止している。より具体的には、第２支持部材１２３ｄを構成する第１の板片が可撓性爪部１２３ｃよりもパネルモジュール１側に位置しており、第１支持部材１２３ｂと共にＬ字固定部材１０４が可撓性爪部１２３ｃからパネルモジュール１側へ移動して孔部１４１ｃから脱落することを規制している。また。第２支持部材１２３ｄを構成する第２の板片が、後述の位置決め突起１２３ａと共にＬ字固定部材１０４を両側から挟み込むようにして掛止している。
【００５６】
位置決め部材は、後述するように掛止板１４１から突出した突出片１４１ｄに当接してＬ字固定部材１０４の取り付け位置を位置決めするための部材であり、図１３Ａに示すように背面視で、枠板部２１の周縁に沿った線状をなす。位置決め部材は、全体的に略長方形の板状をなし、Ｌ字固定部材１０４を可撓性爪部１２３ｃに掛止させる場合にＬ字固定部材１０４がパネルモジュール１の周縁部に沿った方向へ移動することを規制する第１条体１２３１ａと、Ｌ字固定部材１０４を可撓性爪部１２３ｃに掛止させる場合にＬ字固定部材１０４がバックキャビネット側へ移動することを規制する第２条体１２３２ａとを有する。つまり、図１３Ｂに示すように、第１条体１２３１ａ及び第２条体１２３２ａは、倒立Ｌ字状をなすように板材に形成されている。
【００５７】
Ｌ字固定部材１０４は、図１４及び図１５に示すようにＬ字状をなし、可撓性爪部１２３ｃが掛止する孔部１４１ｃを有する掛止板１４１、及び前記パネルモジュール１の後面に当接する当接板１４２を有する。掛止板１４１及び当接板１４２は、それぞれ略矩形状であり、長辺同士が連なっている。なお、図１５は、表示装置の上部に設けられたＬ字固定部材１０４の六面図を、表示装置の上下左右方向を基準にして示したものである。図１５Ａ〜Ｆは、それぞれＬ字固定部材１０４の平面図、正面図、左側面図、右側面図、背面図、底面図である。
【００５８】
掛止板１４１は、可撓性爪部１２３ｃが掛止する孔部１４１ｃを、掛止板１４１の長手方向に沿って、掛止板１４１の略中央部に有する。また掛止板１４１は、孔部１４１ｃの両側、つまり掛止板１４１の長手方向両側に、第１及び第２支持部材１２３ｂ、１２３ｄが嵌り込んで支持されるべき第１及び第２凹部１４１ａ、１４１ｂを有する。第１及び第２凹部１４１ａ、１４１ｂは、当接板１４２が設けられている側から見て凹、当接板１４２が設けられていない側（図１４中手前側）から見て凸になるように形成されている。また、第１及び第２凹部１４１ａ、１４１ｂは先端部、即ち、フロントキャビネット１０２側へ突出した舌片部を有する。該舌片部は、Ｌ字固定部材１０４の第１及び第２凹部１４１ａ、１４１ｂに、第１及び第２支持部材１２３ｂ、１２３ｄを挿入し易くするために、先端部がフロントキャビネット１０２の前筒部２２側に曲がっている。同様に孔部１４１ｃの縁部分からフロントキャビネット１０２側へ突出した舌片部を有する。該舌片部も、Ｌ字固定部材１０４の孔部１４１ｃに、可撓性爪部１２３ｃを挿入及び掛止し易くするために、先端部がパネルモジュール１側に曲がっている。
【００５９】
また、掛止板１４１には、該掛止板１４１が対向しているパネルモジュール１に沿って、掛止板１４１から位置決め突起１２３ａ側へ突出した突出片１４１ｄが形成されている。
【００６０】
当接板１４２は、掛止板１４１に連なっていない側の長辺部分に段差部１４２ａを有する。段差部１４２ａは、枠板部２１側へ近づくように屈曲しており、段差部１４２ａにはパネルモジュール１の後面に当接する当接凸部１４２ｂが形成されている。当接凸部１４２ｂは、パネルモジュール１側に凸であり、当接凸部１４２ｂと、可撓性爪部１２３ｃが掛止する部分とは、パネルモジュール１の周縁部に沿った方向に離隔している。本変形例１では、当接凸部１４２ｂは、可撓性爪部１２３ｃが掛止する部分より突出片１４１ｄ側に離隔している。
【００６１】
次に、このように構成されたＬ字固定部材１０４の取り付け方法を説明する。
図１６は、Ｌ字固定部材１０４の取り付け方法を示す模式図である。まず、Ｌ字固定部材１０４の突出片１４１ｄを位置決め突起１２３ａの先端部に当接させ、Ｌ字固定部材１０４の位置決めを行う。そして、孔部１４１ｃに可撓性爪部１２３ｃが嵌り込むような位置関係になるようにＬ字固定部材１０４の姿勢を調整しながら、位置決め突起１２３ａを中心にＬ字固定部材１０４を回転させることによってＬ字固定部材１０４を掛止手段１２３に挿入し、可撓性爪部１２３ｃを孔部１４１ｃに掛止させる。
【００６２】
このように構成された変形例１に係る表示装置にあっては、実施の形態に係る表示装置に比べて、Ｌ字固定部材１０４を取り付け易く、パネルモジュール１にフロントキャビネット１０２を固定する組立の作業性が向上させることができる。以下、作用効果を具体的に説明する。
【００６３】
実施の形態に係る表示装置においては、Ｌ字固定部材４を掛止手段２３に取り付ける際、その構成上、Ｌ字固定部材４の位置決め作業と、Ｌ字固定部材４に可撓性爪部２３ｃを掛止させる作業とを同時に行う必要があるため、変形例１に係る表示装置と比較するとＬ字固定部材４を取り付けづらいという傾向があった。つまり、Ｌ字固定部材４の凹部４１ａ，４１ｂに支持部材２３ａ、２３ｂを挿入すると、この段階でＬ字固定部材４の孔部４１ｃと、可撓性爪部２３ｃとの位置関係が固定されてしまう。この段階で取り付け位置にずれがあると、このままＬ字固定部材４を掛止手段２３に挿入しても、可撓性爪部２３ｃの先端部が掛止板４１にぶつかってしまう。このため可撓性爪部２３ｃを指で撓ませたり、Ｌ字固定部材４を傾けたりなどして、Ｌ字固定部材４の取り付け位置を修正する必要があった。
しかし、変形例１に係る表示装置においては、可撓性爪部１２３ｃと孔部１４１ｃとの位置関係が完全に固定されないような形でＬ字固定部材１０４の位置決め行い、次いでＬ字固定部材１０４に可撓性爪部１２３ｃを掛止させる作業を順に行うことができるため、全体的にＬ字固定部材１０４の取り付け作業時間を短縮し、作業性を向上させることができる。具体的には、まず突出片１４１ｄを位置決め突起１２３ａに当接させることによってＬ字固定部材１０４の位置決め作業を行い、次いで、孔部１４１ｃに可撓性爪部１２３ｃが嵌り込むような位置関係になるようにＬ字固定部材１０４の姿勢を調整しながら、位置決め突起１２３ａを中心にＬ字固定部材１０４を回転させることによってＬ字固定部材１０４を掛止手段１２３に挿入し、可撓性爪部１２３ｃを掛止させることができ、円滑にＬ字固定部材１０４を取り付けることができる。
【００６４】
また、実施の形態に係る表示装置においては、フロントキャビネット２とパネルモジュール１との固定を強化する目的で、可撓性爪部２３ｃの掛かり強さを大きくした場合、Ｌ字固定部材４を取り付ける際に、可撓性爪部２３ｃを引っ掛ける際の抵抗力も大きくなり、変形例１に係る表示装置と比較すると作業性が悪化するという傾向がある。
しかし、変形例１に係る表示装置においては、可撓性爪部１２３ｃが掛止する部分と、当接凸部１４２ｂとが、パネルモジュール１に沿って離隔しているため、後述するように可撓性爪部１２３ｃの力点と、当接凸部１４２ｂの作用点とが離れることになり、可撓性爪部１２３ｃの掛かり強さを大きくしてもＬ字固定部材１０４を取り付ける際の抵抗力はあまり変化せず、良好な作業性を維持することができる。
【００６５】
図１７は、変形例１に係るＬ字固定部材１０４の作用を示す概念図である。図１７Ａは、変形例１に係るＬ字固定部材１０４を可撓性爪部１２３ｃに掛止させた場合に加わる力の力点ａ、支点ｂ、作用点ｃ及び可撓性爪部１２３ｃに加わる力Ｆを示した概念図である。
【００６６】
Ｌ字固定部材１０４を取り付ける際、突出片１４１ｄが位置決め突起１２３ａに当接させた部分が支点ｂとなり、Ｌ字固定部材１０４を回転させて孔部１４１ｃを可撓性爪部１２３ｃよりもフロントキャビネット１０２側（図１７中下側）へ移動させると、Ｌ字固定部材１０４自体が板バネのように働き、掛止板１４１が曲がった後、元に戻る際に孔部１４１ｃの力点ａ部分に可撓性爪部１２３ｃが掛止される。この場合、図１７Ａに示すように、突出片１４１ｄが位置決め突起１２３ａに当接している部分が支点ｂ、可撓性爪部１２３ｃが掛止している部分が力点ａ、パネルモジュール１に当接する当接凸部１４２ｂが作用点ｃになる。可撓性爪部１２３ｃに働く力Ｆは、掛止板１４１のばね係数をｋ１とすると、Ｆ＝ｋ１×ｓで表される。ｓは、掛止板１４１の撓み量である。力点ａと、作用点ｃとは離隔しているため、ｋ１の値は比較的小さく、可撓性爪部１２３ｃの掛かり強さを大きくしたり、製造ばらつきによって掛かり強さが変動しても、可撓性爪部１２３ｃに大きな力が作用することは無い。このため、Ｌ字固定部材１０４の取り付け作業性が悪化することは無い。また、可撓性爪部１２３ｃに大きな力が働くことで、フロントキャビネット１０２が窪み、美観が損なわれることは無い。
【００６７】
比較のために、実施の形態の表示装置に係るＬ字固定部材による力の働き方を説明する。図１７Ｂは、実施の形態に係るＬ字固定部材４を可撓性爪部２３ｃに掛止させた場合に加わる力の力点ａ、作用点ｃ及び可撓性爪部２３ｃに加わる力Ｆを示した概念図である。可撓性爪部２３ｃに加わる力Ｆは、掛止板４１のばね係数をｋ２とすると、Ｆ＝ｋ２×ｓで表される。ｓは、掛止板４１の撓み量である。図１７Ｂに示すように、実施の形態においては、可撓性爪部２３ｃが掛止する力点ａと、Ｌ字固定部材４がパネルモジュール１に当接している作用点ｃとが接近しているため、ｋ２の値は比較的大きく、可撓性爪部２３ｃの掛かり強さが変動した場合、可撓性爪部２３ｃに不測の大きな力が加わり、Ｌ字固定部材４の取り付け作業性が悪化したり、フロントキャビネット２の美観が損なわれたりするおそれがある。
このように、変形例１に係る表示装置においては、実施の形態に比べて、Ｌ字固定部材１０４の取り付け作業性、フロントキャビネット１０２の美観が損なわれないようにすることができる。
【００６８】
（変形例２）
変形例２に係る表示装置は、可撓性爪部の構成のみが実施の形態及び変形例１と異なるため、以下では主にこの相異点について説明する。可撓性爪部は、Ｌ字固定部材の脱落を防止するためのものであり、Ｌ字固定部材によってパネルモジュールのフロントキャビネットに取り付けられた後は、可撓性爪部はＬ字固定部材に殆ど力を加えない。このため、Ｌ字固定部材と、パネルモジュールとの間には、表示装置の前後方向においてガタが生じ、音声によるビビリ等が発生していた。ビビリの対策として、Ｌ字固定部材と、パネルモジュールとの接触部位に不織布ヒメロンを貼着するなどの方法が考えられるが、作業性の低下、部品点数の増加が問題となる。変形例２に係る表示装置は、作業性の低下、部品点数の増加を回避しつつ、音声によるビビリを防止するものである。
【００６９】
図１８は、変形例２に係る表示装置の要部を示す拡大側断面図である。変形例２に係る表示装置は、実施の形態と同様、パネルモジュール１、フロントキャビネット２０２及びバックキャビネット２０３を備える。バックキャビネット２０３は、実施の形態又は変形例１と同様の構成であり、パネルモジュール１の背面側を覆う皿形覆部２３１と、皿形覆部２３１の周縁に連なる後筒部２３２とを有する。また、Ｌ字固定部材２０４は、変形例１と同様、Ｌ字状をなし、可撓性爪部２２３ｃが掛止する孔部２４１ｃを有する掛止板２４１、及び前記パネルモジュール１の後面に当接する当接板２４２を有する。掛止板２４１及び当接板２４２は、それぞれ略矩形状であり、長辺同士が連なっている。
【００７０】
フロントキャビネット２０２は、パネルモジュール１の表示面側の周縁を覆う枠板部２２１と、該枠板部２２１の外周縁から後方へ連なり、パネルモジュール１の外周を覆う前筒部２２２とを有する。枠板部２２１の後面及び前筒部２２２の内面には、Ｌ字固定部材２０４を掛止する掛止手段２２３が設けられている。掛止手段２２３は、フロントキャビネット２０２の横方向両側部及び上部にそれぞれ複数設けられている。掛止手段２２３は、前筒部２２２の内面からパネルモジュール１側へ突出し、途中で後方へ伸びる可撓性爪部２２３ｃと、可撓性爪部２２３ｃが掛止したＬ字固定部材２０４を支持する支持部材（不図示）とを有する。支持部材の構成は、実施の形態又は変形例１と同様である。可撓性爪部２２３ｃの基部２２３ｅは弾性を有し、該基部２２３ｅを中心にして、パネルモジュール１に対して接離する方向へ回動するヒンジ機能を有する。可撓性爪部２２３ｃの先端部には、実施の形態又は変形例１と同様、Ｌ字固定部材２０４に掛止する鉤状部分が設けられている。
また、可撓性爪部２２３ｃの長さは、製造誤差によって変動する最も薄いパネルモジュール１に合わせて、設定されている。つまり、前後方向の幅が最も小さいパネルモジュール１に、Ｌ字固定部材２０４を用いてフロントキャビネット２０２を取り付けた場合、音声によりビビリが発生しない程度に、Ｌ字固定部材２０４と、パネルモジュール１とが密着して当接するように、Ｌ字固定部材２０４の前後方向の寸法が決定されている。
【００７１】
図１９は、変形例２に係る表示装置の作用を示す拡大側断面図である。図１９に示すように、製造誤差によって、パネルモジュール１の前後方向の幅が厚くなった場合、Ｌ字固定部材２０４は、図１８に比べて右側（背面側）寄りに位置することになるが、Ｌ字固定部材２０４は、ヒンジ機能を有しているため、図１９中、反時計回りに回動し、Ｌ字固定部材２０４に掛止する。この場合、パネルモジュール１の寸法誤差などがあっても、Ｌ字固定部材２０４はパネルモジュール１の背面に密着するように当接し、音声によるビビリは発生しない。また、Ｌ字固定部材２０４が図１８に比べて、右側（背面側）に位置したとしても、可撓性爪部２２３ｃは、Ｌ字固定部材２０４に対する掛止位置を変化させるため、Ｌ字固定部材２０４の取り付けに、大きな力を要することは無い。
【００７２】
このように構成された変形例２に係る表示装置にあっては、図１８及び図１９に示すように、パネルモジュール１の厚み等に寸法誤差があっても、Ｌ字固定部材２０４がパネルモジュール１に密着するように当接させて音声によるビビリを防止することができ、しかもＬ字固定部材２０４を取り付ける際、該Ｌ字固定部材２０４を強い力で押し込む必要が無く、容易にＬ字固定部材２０４を取り付けることができる。
【００７３】
（変形例３）
図２０は、変形例３に係る表示装置の要部を示す拡大側断面図である。変形例３に係る表示装置は、実施の形態と同様、パネルモジュール１、フロントキャビネット３０２及びバックキャビネット３０３を備える。バックキャビネット３０３は、実施の形態又は変形例１と同様の構成であり、パネルモジュール１の背面側を覆う皿形覆部３３１と、皿形覆部３３１の周縁に連なる後筒部３３２とを有する。
【００７４】
Ｌ字固定部材３０４は、変形例１と同様、Ｌ字状をなし、可撓性爪部３２３ｃが掛止する孔部３４１ｃを有する掛止板３４１、及び前記パネルモジュール１の後面に当接する当接板３４２を有する。掛止板３４１及び当接板３４２は、それぞれ略矩形状であり、長辺同士が連なっている。ただし、当接板３４２は、背面側が凹になるように湾曲しており、当接板３４２と、パネルモジュール１の背面は線接触している。
【００７５】
フロントキャビネット３０２は、パネルモジュール１の表示面側の周縁を覆う枠板部３２１と、該枠板部３２１の外周縁から後方へ連なり、パネルモジュール１の外周を覆う前筒部３２２とを有する。枠板部３２１の後面及び前筒部３２２の内面には、Ｌ字固定部材３０４を掛止する掛止手段３２３が設けられている。掛止手段３２３の可撓性爪部３２３ｃの構成は実施の形態と同様である。可撓性爪部３２３ｃの長さは、製造誤差によって変動する最も薄いパネルモジュール１に合わせて、設定されている。つまり、前後方向の幅が最も小さいパネルモジュール１に、Ｌ字固定部材３０４を用いてフロントキャビネット３０２を取り付けた場合、音声によりビビリが発生しない程度に、Ｌ字固定部材３０４と、パネルモジュール１とが密着して当接するように、Ｌ字固定部材３０４の前後方向の寸法が決定されている。
【００７６】
図２１は、変形例３に係る表示装置の作用を示す拡大側断面図である。図２１に示すように、製造誤差によって、パネルモジュール１の前後方向の幅が厚くなった場合、Ｌ字固定部材３０４は、図２０に比べて右側（背面側）寄りに位置することになるが、Ｌ字固定部材３０４は、図２１中、反時計回りに回動し、Ｌ字固定部材３０４に掛止する。この場合、パネルモジュール１の寸法誤差などがあっても、Ｌ字固定部材３０４はパネルモジュール１の背面に線接触するように当接し、音声によるビビリは発生しない。また、Ｌ字固定部材３０４が図２０に比べて、右側（背面側）に位置したとしても、Ｌ字固定部材３０４は、可撓性爪部３２３ｃに対する掛止位置を変化させるため、Ｌ字固定部材３０４の取り付けに、大きな力を要することは無い。
【００７７】
このように構成された変形例３に係る表示装置にあっては、図２０及び図２１に示すように、パネルモジュール１の厚み等に寸法誤差があっても、Ｌ字固定部材３０４がパネルモジュール１に密着するように当接させて音声によるビビリを防止することができ、しかもＬ字固定部材３０４を取り付ける際、該Ｌ字固定部材３０４を強い力で押し込む必要が無く、容易にＬ字固定部材３０４を取り付けることができる。
【００７８】
（変形例４）
図２２は、変形例４に係る表示装置の要部を示す拡大側断面図である。変形例４に係る表示装置は、実施の形態と同様、パネルモジュール１、フロントキャビネット４０２及びバックキャビネット４０３を備える。バックキャビネット４０３は、実施の形態又は変形例１と同様の構成であり、パネルモジュール１の背面側を覆う皿形覆部４３１と、皿形覆部４３１の周縁に連なる後筒部４３２とを有する。フロントキャビネット４０２は、パネルモジュール１の表示面側の周縁を覆う枠板部４２１と、該枠板部４２１の外周縁から後方へ連なり、パネルモジュール１の外周を覆う前筒部４２２とを有する。枠板部４２１の後面及び前筒部４２２の内面には、Ｌ字固定部材４０４を掛止する掛止手段４２３が設けられている。掛止手段４２３の可撓性爪部４２３ｃの構成は、実施の形態又は各変形例と同様である。ただし、可撓性爪部４２３ｃの前後方向の寸法は、可撓性爪部４２３ｃの先端部が、パネルモジュール１に固定されたＬ字固定金具よりも背面側に位置するように構成されている。
【００７９】
また、Ｌ字固定部材４０４は、変形例１と同様、Ｌ字状をなし、可撓性爪部４２３ｃが掛止する孔部４４１ｃを有する掛止板４４１、及び前記パネルモジュール１の後面に当接する当接板４４２を有する。
【００８０】
このように構成された変形例４に係る表示装置にあっては、可撓性爪部４２３ｃの先端が、パネルモジュール１よりも背面側へ突出しているため、メンテナンス時に、フロントキャビネット４０２からパネルモジュール１を取り外す際、可撓性爪部４２３ｃの先端が良く見え、また、可撓性爪部４２３ｃの先端に指を掛け易く、容易に、パネルモジュール１を取り外すことができる。
【００８１】
なお、今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００８２】
１  パネルモジュール
２  フロントキャビネット
３  バックキャビネット
４  Ｌ字固定部材
５  チューナ
６  電気回路
７  スタンド
１１  液晶パネル
１１ａ  表示面
１２  バックライト装置
１３  保持枠体
２１  枠板部
２２  前筒部
２３ａ、２３ｂ  支持部材
２３ｃ  可撓性爪部
２４  当接部材
２４ａ、２４ｂ  当接片（当接部材）
３１  皿形覆部
３２  後筒部
３２ａ  規制爪部（規制部）
４１  掛止板
４１ａ，４１ｂ  凹部
４１ｃ  孔部
４２  当接板
【図１】
2013033190.tif 000003
【図２】
2013033190.tif 000004
【図３】
2013033190.tif 000005
【図４】
2013033190.tif 000006
【図５】
2013033190.tif 000007
【図６】
2013033190.tif 000008
【図７】
2013033190.tif 000009
【図８】
2013033190.tif 000010
【図９】
2013033190.tif 000011
【図１０】
2013033190.tif 000012
【図１１】
2013033190.tif 000013
【図１２】
2013033190.tif 000014
【図１３】
2013033190.tif 000015
【図１４】
2013033190.tif 000016
【図１５】
2013033190.tif 000017
【図１６】
2013033190.tif 000018
【図１７】
2013033190.tif 000019
【図１８】
2013033190.tif 000020
【図１９】
2013033190.tif 000021
【図２０】
2013033190.tif 000022
【図２１】
2013033190.tif 000023
【図２２】
2013033190.tif 000024
【手続補正書】
【提出日】平成24年3月30日(2012.3.30)
【手続補正１】
【補正対象書類名】明細書
【補正対象項目名】０００７
【補正方法】変更
【補正の内容】
【０００７】
本発明に係る表示装置は、前側に表示面を有するパネルモジュールと、該パネルモジュールの周縁部を取り囲むフロントキャビネットと、前記パネルモジュールの後側を覆うバックキャビネットとを備えた表示装置において、前記フロントキャビネットの内面から前記バックキャビネット側へ突出した可撓性爪部と、該可撓性爪部が掛止する孔部を有する掛止板、及び前記パネルモジュールの後面に当接する当接板からなり、前記フロントキャビネットを前記パネルモジュールに固定する側面視Ｌ字状のＬ字固定部材とを備えることを特徴とする。
【手続補正２】
【補正対象書類名】特許請求の範囲
【補正対象項目名】請求項１
【補正方法】変更
【補正の内容】
【請求項１】
前側に表示面を有するパネルモジュールと、該パネルモジュールの周縁部を取り囲むフロントキャビネットと、前記パネルモジュールの後側を覆うバックキャビネットとを備えた表示装置において、
前記フロントキャビネットの内面から前記バックキャビネット側へ突出した可撓性爪部と、
該可撓性爪部が掛止する孔部を有する掛止板、及び前記パネルモジュールの後面に当接する当接板からなり、前記フロントキャビネットを前記パネルモジュールに固定する側面視Ｌ字状のＬ字固定部材と
を備えることを特徴とする表示装置。